(57)【要約】      （修正有）【課題】少なくとも、お供え用の切花、ローソク、線香の全てを忘れずに準備できるようにしたお供え用切花セットを提供する。【解決手段】お供え用の切花セット１は、お供え用切花２に線香４とローソク５をセットにしたものである。前記切花２は透明シート３で覆うことも可能である。そして、前記線香４及びローソク５は、透明シート３の内側に粘着テープ等で取り付けるようにすることができる。又、ライター等の着火具を備えることも可能である。尚、前記線香４及びローソク５は、透明シート３の外側に取り付けるようにすることもできる。【選択図】図１
0003143049.tif 000002
【実用新案登録請求の範囲】
【請求項１】
お供え用の切花に線香とローソクをセットにしたことを特徴とするお供え用切花セット。
【請求項２】
前記線香及びローソクは一つの袋に収容された状態で、前記切花を覆うシート内に取り付けられたことを特徴とする請求項１に記載のお供え用切花セット。
【請求項３】
マッチ等の着火具を備えたことを特徴とする請求項１又は請求項２に記載のお供え用切花セット。
【考案の詳細な説明】
【技術分野】
【０００１】
本考案は、お供え用切花セットに関するものである。
【背景技術】
【０００２】
墓地等へは、お供え用の切花や線香、ローソクを準備して出向くことが一般的である。
【考案の開示】
【考案が解決しようとする課題】
【０００３】
しかし、墓地等へ出向く際に予め、お供え用の切花、ローソク、線香を忘れずに準備することが繁雑であり、この三点の内の何れかを準備し忘れることが多かった。
【０００４】
又、切花に関する特許文献１が提案されているが、この特許文献１には、お供え用の切花、ローソク、線香の全てを忘れずに準備できるようにした対策については全く記載されていない。
【０００５】
【特許文献１】特開２００７−２８２９６１号公報
【０００６】
本考案は、前記従来技術の課題を解決するためになされたもので、その目的は、少なくとも、お供え用の切花、ローソク、線香の全てを忘れずに準備できるようにしたお供え用切花セットを提供することにある。
【課題を解決するための手段】
【０００７】
請求項１に記載の考案は、お供え用切花に線香とローソクとを備えたお供え用切花セットである。
【０００８】
請求項２に記載の考案は、請求項１に記載の発明において、前記切花はシートで覆われ、前記線香及びローソクは、シート内に取り付けられたことを特徴とするものである。
【０００９】
請求項３に記載の考案は、請求項１又は請求項２に記載の考案において、マッチ等の着火具を備えたことを特徴とするものである。
【考案の効果】
【００１０】
請求項１に記載の考案によれば、切花に線香とローソクとが予めセットになっているために、お供え用切花、線香、ローソクを個々に準備する必要がなく便利である。
【００１１】
請求項２に記載の考案によれば、線香及びローソクが、切花を覆うシートの内側に取り付けられるために、線香及びローソクが周囲の事物に触れて脱落する虞が少ない。
【００１２】
請求項３に記載の考案によれば、予め、マッチ等の着火具を備えることによって、着火具を忘れることなく、墓地等において、線香、ローソクに容易に着火することができて便利である。
【考案を実施するための最良の形態】
【００１３】
図１乃至図４は本考案の第１形態を示す。図１に示すように、本考案に係るお供え用切花セット１は、切花２が覆われた透明又は半透明シート３の内面に、線香４とローソク５とが取り付けられてセットになったものである。
【００１４】
図２に示すように、前記線香４とローソク５は、一つの透明又は半透明な袋６内に収容された状態で、図１に示すように、切花２を覆う前記シート３の内側に粘着テープ７等の手段によって取り付けるようにしても良いし、ローソク５は、個別に、前記シート３の内側に粘着テープ等によって取り付けることもできる。
【００１５】
前記シート３の素材としては、無地のものを用いても良いし、様々な模様が付されたものを用いて、見栄えを良くしても良い。
【００１６】
次に作用について説明する。図２に示すように、線香４、ローソク５を袋６内に収容する。次に、線香４、ローソク５を収容した袋６を、切花２を覆うシート３の内面に粘着テープ７等によって取り付ける。次に、このように、線香４とローソク５を収容した袋６を貼り付けた前記シート３で切花２を覆うことによって、図１に示すように、切花セット１が完成する。
【００１７】
尚、以上の説明においては、線香４、ローソク５を袋６内に収容した状態で、切花２を覆うシート３の内側に取り付けた場合について説明したが、線香４、ローソク５は袋６内に収容した状態で、シート３の外側に取り付けるようにしても良い。
【００１８】
図３は、変形例を示す形態であって、袋６内に、線香４，ローソク５の他に着火具としてマッチＭを収容したものである。マッチＭを備えることによって、着火具を準備し忘れることなく、墓地等において、線香４，ローソク５に着火することができる。
【００１９】
このように完成した切花セット１は、例えば、墓地の近傍の小売店で販売することによって、墓地等に出向く顧客のお供え用の切花セットとして利用することができて便利である上に、必要なものの買い忘れを防止できる。
【００２０】
図５は、第２実施形態を示す。この第２実施形態の特徴は、着火具として、ライターＲを備えた点にある。ライターＲは、不燃性の素材で覆うことによって、不用意な出火の発生を防止することが好ましい。
【００２１】
図６は、第３実施形態を示す。この第３実施形態の特徴は、前記着火具として、線香４、及びローソク５とは別にマッチＭを備えた点にある。例えば、マッチＭを不燃性の素材で製造された袋等に入れることによって、出火防止の安全を図ることができる。
【００２２】
図７は、第４実施形態を示す。この第４実施形態の特徴は、前記着火具として、紙マッチのタイプのマッチＭを備えた点にある。例えば、紙マッチＭを不燃性の素材で製造された袋等に入れることによって、出火防止の安全を図ることができる。
【図面の簡単な説明】
【００２３】
【図１】図１は、本考案に係る切花セットの実施形態を示す斜視図である。（第１実施形態）
【図２】図２は、線香とローソクを袋に収容した状態を示す斜視図である。（第１実施形態）
【図３】図３は、線香、ローソク、及びマッチを袋に収容した状態を示す斜視図である。（変形例）
【図４】図４は、切花を透明フィルムで覆った状態を示す斜視図である。（第１実施形態）
【図５】図５は、本考案に係る切花セットの実施形態を示す斜視図である。（第２実施形態）
【図６】図６は、本考案に係る切花セットの実施形態を示す斜視図である。（第３実施形態）
【図７】図７は、本考案に係る切花セットの実施形態を示す斜視図である。（第４実施形態）
【００２４】
１  切花セット
２  切花
３  シート
４  線香
５  ローソク
６  袋
７  粘着テープ
Ｒ  ライター
Ｍ  マッチ
【図１】
0003143049.tif 000003
【図２】
0003143049.tif 000004
【図３】
0003143049.tif 000005
【図４】
0003143049.tif 000006
【図５】
0003143049.tif 000007
【図６】
0003143049.tif 000008
【図７】
0003143049.tif 000009
【手続補正書】
【提出日】平成20年5月1日(2008.5.1)
【手続補正１】
【補正対象書類名】実用新案登録請求の範囲
【補正対象項目名】全文
【補正方法】変更
【補正の内容】
【実用新案登録請求の範囲】
【請求項１】
線香及びローソクが一つの袋に収容された状態で、お供え用切花を覆うシートの内面又は外面に取り付けられたことを特徴とするお供え用切花セット。
【請求項２】
マッチ等の着火具を前記シート内に備えたことを特徴とする請求項１に記載のお供え用切花セット。
【手続補正２】
【補正対象書類名】明細書
【補正対象項目名】全文
【補正方法】変更
【補正の内容】
【考案の詳細な説明】
【技術分野】
【０００１】
本考案は、お供え用切花セットに関するものである。
【背景技術】
【０００２】
墓地等へは、お供え用の切花や線香、ローソクを準備して出向くことが一般的である。
【考案の開示】
【考案が解決しようとする課題】
【０００３】
しかし、墓地等へ出向く際に予め、お供え用の切花、ローソク、線香を忘れずに準備することが繁雑であり、この三点の内の何れかを準備し忘れることが多かった。
【０００４】
又、切花に関する特許文献１が提案されているが、この特許文献１には、お供え用の切花、ローソク、線香の全てを忘れずに準備できるようにした対策については全く記載されていない。
【０００５】
【特許文献１】特開２００７−２８２９６１号公報
【０００６】
本考案は、前記従来技術の課題を解決するためになされたもので、その目的は、少なくとも、お供え用の切花、ローソク、線香の全てを忘れずに準備できるようにしたお供え用切花セットを提供することにある。
【課題を解決するための手段】
【０００７】
請求項１に記載の考案は、線香及びローソクが一つの袋に収容された状態で、お供え用切花を覆うシートの内面又は外面に取り付けられたことを特徴とするお供え用切花セットである。
【０００８】
請求項２に記載の考案は、請求項１に記載の考案において、マッチ等の着火具を前記シート内に備えたことを特徴とするものである。
【考案の効果】
【０００９】
請求項１に記載の考案によれば、切花に線香とローソクとが予めセットになっているために、お供え用切花、線香、ローソクを個々に準備する必要がなく便利である。
【００１０】
請求項２に記載の考案によれば、予め、マッチ等の着火具を備えることによって、着火具を忘れることなく、墓地等において、線香、ローソクに容易に着火することができて便利である。
【考案を実施するための最良の形態】
【００１１】
図１乃至図４は本考案の第１形態を示す。図１に示すように、本考案に係るお供え用切花セット１は、切花２が覆われた透明又は半透明シート３の内面に、線香４とローソク５とが取り付けられてセットになったものである。
【００１２】
図２に示すように、前記線香４とローソク５は、一つの透明又は半透明な袋６内に収容された状態で、図１に示すように、切花２を覆う前記シート３の内側に粘着テープ７等の手段によって取り付けるようにしても良いし、ローソク５は、個別に、前記シート３の内側に粘着テープ等によって取り付けることもできる。
【００１３】
前記シート３の素材としては、無地のものを用いても良いし、様々な模様が付されたものを用いて、見栄えを良くしても良い。
【００１４】
次に作用について説明する。図２に示すように、線香４、ローソク５を袋６内に収容する。次に、線香４、ローソク５を収容した袋６を、切花２を覆うシート３の内面に粘着テープ７等によって取り付ける。次に、このように、線香４とローソク５を収容した袋６を貼り付けた前記シート３で切花２を覆うことによって、図１に示すように、切花セット１が完成する。
【００１５】
尚、以上の説明においては、線香４、ローソク５を袋６内に収容した状態で、切花２を覆うシート３の内側に取り付けた場合について説明したが、線香４、ローソク５は袋６内に収容した状態で、シート３の外側に取り付けるようにしても良い。
【００１６】
図３は、変形例を示す形態であって、袋６内に、線香４，ローソク５の他に着火具としてマッチＭを収容したものである。マッチＭを備えることによって、着火具を準備し忘れることなく、墓地等において、線香４，ローソク５に着火することができる。
【００１７】
このように完成した切花セット１は、例えば、墓地の近傍の小売店で販売することによって、墓地等に出向く顧客のお供え用の切花セットとして利用することができて便利である上に、必要なものの買い忘れを防止できる。
【００１８】
図５は、第２実施形態を示す。この第２実施形態の特徴は、着火具として、ライターＲを備えた点にある。ライターＲは、不燃性の素材で覆うことによって、不用意な出火の発生を防止することが好ましい。
【００１９】
図６は、第３実施形態を示す。この第３実施形態の特徴は、前記着火具として、線香４、及びローソク５とは別にマッチＭを備えた点にある。例えば、マッチＭを不燃性の素材で製造された袋等に入れることによって、出火防止の安全を図ることができる。
【００２０】
図７は、第４実施形態を示す。この第４実施形態の特徴は、前記着火具として、紙マッチのタイプのマッチＭを備えた点にある。例えば、紙マッチＭを不燃性の素材で製造された袋等に入れることによって、出火防止の安全を図ることができる。
【図面の簡単な説明】
【００２１】
【図１】図１は、本考案に係る切花セットの実施形態を示す斜視図である。（第１実    施形態）
【図２】図２は、線香とローソクを袋に収容した状態を示す斜視図である。（第１実    施形態）
【図３】図３は、線香、ローソク、及びマッチを袋に収容した状態を示す斜視図であ    る。（変形例）
【図４】図４は、切花を透明フィルムで覆った状態を示す斜視図である。（第１実施    形態）
【図５】図５は、本考案に係る切花セットの実施形態を示す斜視図である。（第２実    施形態）
【図６】図６は、本考案に係る切花セットの実施形態を示す斜視図である。（第３実    施形態）
【図７】図７は、本考案に係る切花セットの実施形態を示す斜視図である。（第４実    施形態）
【００２２】
１  切花セット
２  切花
３  シート
４  線香
５  ローソク
６  袋
７  粘着テープ
Ｒ  ライター
Ｍ  マッチ